(57)【要約】      （修正有）【課題】調整が容易で短時間ですむ。【解決手段】凹型調整ユニット１とダイス固定ユニット４があり、垂直調整ねじ２は、凹型調整ユニット１の垂直貫通穴１１２を貫通し、ダイス固定ユニット４の十字型対称垂直ねじ穴４３に挿入されて締められている。さらに、それらのねじ穴４３の中心位置には球体４５があって、垂直調整ねじ２がダイス固定ユニット４を前後左右に移動させ、ダイスＢの垂直度を調整する。さらに、凹型調整ユニット１側面にある水平調整ねじ３によりダイス固定ユニット４の水平レベルを固定する。【選択図】図３
0003109375.tif 000002
【実用新案登録請求の範囲】
【請求項１】
凹型調整ユニットが昇降ユニットに固定されていて、垂直調整ねじがダイス固定ユニットの垂直度を微調整することで正確な位置に固定するようになっており、
前記凹型調整ユニットには、調整溝があって、さらに、前記凹型調整ユニットの前部の適切な位置には、十字型に対称の垂直貫通穴が設けられていて、この垂直貫通穴の内径は、前記垂直調整ねじの外径よりやや大きく、前記垂直調整ねじがそれぞれ前記垂直貫通穴内で自由に動くようになっていて、この凹型調整ユニットの側面両側には、水平ねじ穴があり、この両側の水平ねじ穴は相反する方向で対応していて、水平調整ねじが前記水平ねじ穴に挿入されて締められて、前記ダイス固定ユニットの側面を締め付け、
前記ダイス固定ユニットは、その前端にダイスがあって、前記ダイス固定ユニットの後部には、十字型対称垂直ねじ穴があって、前述の凹型調整ユニットの前記垂直貫通穴に対応し、さらに、その十字型対称垂直ねじ穴の中心位置には固定溝があり、その固定溝の上には、球体が置かれていて、前記ダイス固定ユニットが前記凹型調整ユニットの前記調整溝に置かれた時、この球体はちょうど前記垂直貫通穴と前記十字型対称垂直ねじ穴の中心位置になり、
固定ブロックの一端には固定部分があって、もう一端は押さえ部分になっていて、この固定部分は前記ダイス固定ユニットに固定されていて、その押さえ部分は押さえねじによって前記凹型調整ユニットの前記調整溝の端部分に固定されることにより、その押さえねじと縦向きの水平調整ねじが反対方向に対応し、
前記ダイス固定ユニットを調整する際は、前記ダイスの垂直度が調整され、前記球体が中心であることを利用して、４個の前記垂直調整ねじがそれぞれ前記ダイス固定ユニットの４つの方角に、角度調整をして、前記ダイスが垂直度の正確な位置に達した後、さらに、前記水平調整ねじが前記ダイス固定ユニットの側面を締め付け、さらに、前記押さえねじを締め付けることにより、前記固定ブロックが前記ダイス固定ユニットを前記調整溝内に向かって押し付けることで、前記ダイス固定ユニットを、前記調整溝内において４つの方向から包み込む形で固定することを特徴とする放電加工機のダイス調整固定構造。
【請求項２】
ダイス固定板は直接昇降ユニットに固定されていて、そのダイス固定板の前部にカーブ型調整溝があって、このカーブ型調整溝の外周円には、十字型対称垂直ねじ穴が設けられていて、
ダイス調整ユニットは、その底部に調整カーブ面があって、前記ダイス調整ユニットの前記調整カーブ面は前記カーブ型調整溝内に位置し、そのダイス調整ユニットには垂直貫通穴があって、前述の十字型対称垂直ねじ穴に対応するようになっていて、同時に、この垂直貫通穴の内径は前記十字型対称垂直ねじ穴の内径よりやや大きく、
前記垂直調整ねじがその垂直貫通穴を貫通し、前記十字型対称垂直ねじ穴内に挿入され、
前記垂直調整ねじが前記ダイス調整ユニットの垂直度を調整する時、その垂直貫通穴内の前記垂直調整ねじが斜めに偏った遊びの角度を持つことを許し、同時に、前記ダイス調整ユニットの前記調整カーブ面の傾斜を通して、常に、このカーブ型調整溝内で面接触して、垂直度が調整された後、前記垂直調整ねじが前記ダイス調整ユニットに固定されることを特徴とする放電加工機のダイス調整固定構造。
【請求項３】
前記凹型調整ユニットの前記調整溝の端部分に、前記固定ブロックが設けられ、その固定ブロックの固定部分は、前記ダイス固定ユニットに固定されていて、その押さえ部分が前記押さえねじによって前記凹型調整ユニットの前記調整溝の端部分に固定されていて、その押さえねじと前記縦向きの水平調整ねじが反対方向に対応していることを特徴とする請求項１に記載の放電加工機のダイス調整固定構造。
【請求項４】
前記押さえ部分と前記調整溝の端部分は互いに適度な隙間を保って、前記押さえねじが前記凹型調整ユニットの前記調整溝の端部分に固定されることにより、前記固定ブロックによって前記ダイス固定ユニットが前記調整溝内に向かって押し付けられることを特徴とする請求項３に記載の放電加工機のダイス調整固定構造。
【請求項５】
前記垂直貫通穴は、その穴の縁にカーブを描いた斜めの角があって、前記垂直調整ねじの下方には、前述のカーブを描いた斜めの角に対応するカーブ面があって、前記垂直調整ねじが前記垂直貫通穴内に貫通することで、前記ダイス固定ユニットあるいは前記ダイス固定板の前記十字型対称垂直ねじ穴内に固定され、さらに、前記垂直調整ねじが四方向に移動して微調整されることにより、前記ダイス固定ユニットあるいは前記ダイス調整ユニットがわずかに傾斜した時、前記カーブ面も共に傾斜し、常に前述のカーブを描いた斜めの角と面接触を保つようになっていることを特徴とする請求項１ないし４のいずれか１つに記載の放電加工機のダイス調整固定構造。
【考案の詳細な説明】
【技術分野】
【０００１】
本考案は、放電加工機のダイス調整固定構造に関わる。
【背景技術】
【０００２】
従来の放電加工機のダイスの垂直度調整は、おおむね次のような方式により行われる。
図1及び図２により、従来の構成を示した。その構成は以下の通りである。
１、ダイス固定ユニット１０は昇降ユニットＡに固定されている。
２、ダイス固定ユニット１０には長型穴１０１がある。
３、その長型穴１０１の外側の横向きと縦向きに十字型対称ねじ穴１０２がある。
４、固定ねじ１０３がそれぞれ前述の長型穴１０１を貫通し、十字型対称調整ねじ１０４が十字型対称ねじ穴１０２に挿入され、さらに、それぞれの十字型対称調整ねじ１０４が四方向から、昇降ユニットＡの底部を押し上げることで、ダイス固定ユニット１０内においてダイスの垂直度を微調整する機能を持つ。
５、垂直度を正確なレベルに調整する時、同時に、長型穴１０１によってダイス固定ユニット１０を固定ねじ１０３で固定し、長型穴１０１があることにより、ダイス固定ユニット１０がダイスの垂直度を微調整することができる。
６、前述のように、正確な位置に調整した後、固定ねじ１０３で位置を固定する。
【考案の開示】
【考案が解決しようとする課題】
【０００３】
１、従来のダイス固定ユニット１０は、二本の固定ねじ１０３によって垂直に固定されていて、水平位置の固定能力に劣る。このため、ダイス固定ユニット１０が外的な衝撃を受けると、ダイス固定ユニット１０は容易に水平位置が偏ってしまう。
２、前述のダイス固定ユニット１０は、二本の固定ねじ１０３によって支えられているため、長型穴１０１と固定ねじ１０３にて規制される範囲内でダイス固定ユニット１０を前後移動させる際に、十字型対称調整ねじ１０４はその前後移動の円滑化の妨げとなる。このため、正確な位置に調整するのが難しく、したがって、正確な位置に調整するには相当な時間がかかる。
【課題を解決するための手段】
【０００４】
上記点に鑑み請求項１記載の考案は以下の点を特徴とする。
凹型調整ユニットが昇降ユニットに固定されていて、垂直調整ねじがダイス固定ユニットの垂直度を微調整することで正確な位置に固定するようになっており、
前記凹型調整ユニットには、調整溝があって、さらに、前記凹型調整ユニットの前部の適切な位置には、十字型に対称の垂直貫通穴が設けられていて、この垂直貫通穴の内径は、前記垂直調整ねじの外径よりやや大きく、前記垂直調整ねじがそれぞれ前記垂直貫通穴内で自由に動くようになっていて、この凹型調整ユニットの側面両側には、水平ねじ穴があり、この両側の水平ねじ穴は相反する方向で対応していて、水平調整ねじが前記水平ねじ穴に挿入されて締められて、前記ダイス固定ユニットの側面を締め付け、
前記ダイス固定ユニットは、その前端にダイスがあって、前記ダイス固定ユニットの後部には、十字型対称垂直ねじ穴があって、前述の凹型調整ユニットの前記垂直貫通穴に対応し、さらに、その十字型対称垂直ねじ穴の中心位置には固定溝があり、その固定溝の上には、球体が置かれていて、前記ダイス固定ユニットが前記凹型調整ユニットの前記調整溝に置かれた時、この球体はちょうど前記垂直貫通穴と前記十字型対称垂直ねじ穴の中心位置になり、
固定ブロックの一端には固定部分があって、もう一端は押さえ部分になっていて、この固定部分は前記ダイス固定ユニットに固定されていて、その押さえ部分は押さえねじによって前記凹型調整ユニットの前記調整溝の端部分に固定されることにより、その押さえねじと縦向きの水平調整ねじが反対方向に対応し、
前記ダイス固定ユニットを調整する際は、前記ダイスの垂直度が調整され、前記球体が中心であることを利用して、４個の前記垂直調整ねじがそれぞれ前記ダイス固定ユニットの４つの方角に、角度調整をして、前記ダイスが垂直度の正確な位置に達した後、さらに、前記水平調整ねじが前記ダイス固定ユニットの側面を締め付け、さらに、前記押さえねじを締め付けることにより、前記固定ブロックが前記ダイス固定ユニットを前記調整溝内に向かって押し付けることで、前記ダイス固定ユニットを、前記調整溝内において４つの方向から包み込む形で固定することを特徴とする。
【０００５】
上記点に鑑み請求項２記載の考案は以下の点を特徴とする。
ダイス固定板は直接昇降ユニットに固定されていて、そのダイス固定板の前部にカーブ型調整溝があって、このカーブ型調整溝の外周円には、十字型対称垂直ねじ穴が設けられていて、
ダイス調整ユニットは、その底部に調整カーブ面があって、前記ダイス調整ユニットの前記調整カーブ面は前記カーブ型調整溝内に位置し、そのダイス調整ユニットには垂直貫通穴があって、前述の十字型対称垂直ねじ穴に対応するようになっていて、同時に、この垂直貫通穴の内径は前記十字型対称垂直ねじ穴の内径よりやや大きく、
前記垂直調整ねじがその垂直貫通穴を貫通し、前記十字型対称垂直ねじ穴内に挿入され、
前記垂直調整ねじが前記ダイス調整ユニットの垂直度を調整する時、その垂直貫通穴内の前記垂直調整ねじが斜めに偏った遊びの角度を持つことを許し、同時に、前記ダイス調整ユニットの前記調整カーブ面の傾斜を通して、常に、このカーブ型調整溝内で面接触して、垂直度が調整された後、前記垂直調整ねじが前記ダイス調整ユニットに固定されることを特徴とする。
【０００６】
請求項３記載の考案は、前記凹型調整ユニットの前記調整溝の端部分に、前記固定ブロックが設けられ、その固定ブロックの固定部分は、前記ダイス固定ユニットに固定されていて、その押さえ部分が前記押さえねじによって前記凹型調整ユニットの前記調整溝の端部分に固定されていて、その押さえねじと前記縦向きの水平調整ねじが反対方向に対応していることを特徴とする。
請求項４記載の考案は、前記押さえ部分と前記調整溝の端部分は互いに適度な隙間を保って、前記押さえねじが前記凹型調整ユニットの前記調整溝の端部分に固定されることにより、前記固定ブロックによって前記ダイス固定ユニットが前記調整溝内に向かって押し付けられることを特徴とする。
請求項５記載の考案は、前記垂直貫通穴は、その穴の縁にカーブを描いた斜めの角があって、前記垂直調整ねじの下方には、前述のカーブを描いた斜めの角に対応するカーブ面があって、前記垂直調整ねじが前記垂直貫通穴内に貫通することで、前記ダイス固定ユニットあるいは前記ダイス固定板の前記十字型対称垂直ねじ穴内に固定され、さらに、前記垂直調整ねじが四方向に移動して微調整されることにより、前記ダイス固定ユニットあるいは前記ダイス調整ユニットがわずかに傾斜した時、前記カーブ面も共に傾斜し、常に前述のカーブを描いた斜めの角と面接触を保つようになっていることを特徴とする。
【０００７】
請求項に対応した構成例として次のものが挙げられる。
1、  凹型調整ユニットは、昇降ユニットに固定されている。凹型調整ユニットの下方には、調整溝があって、ダイス固定ユニットはその調整溝内に固定されている。４本の垂直調整ねじは、その凹型調整ユニットの前方に設けられている垂直貫通穴に挿入されて、さらに、ダイス固定ユニットの後方に設けられている十字型対称垂直ねじ穴内に固定される。また、十字型対称垂直ねじ穴の中心位置には、円形の球体が置かれている。前述の４本の垂直調整ねじがダイス固定ユニットの垂直度を調整することにより、円形の球体を中心として動き、自在に調整しやすいようになっている。そして、調整時間も短縮することが可能である。さらに、この凹型調整ユニットの側面にある水平ねじ穴に水平調整ねじが挿入されて、ダイス固定ユニットの側面を締め付けて、ダイス固定ユニットの水平微調整を行い、位置を固定する効果を高めている。前述の調整溝の端部分とダイス固定ユニットは、固定ブロックの一端がダイス固定ユニットに固定され、もう一方の端が、ねじによってその端部分に締め付けられることによって、ダイス固定ユニットがさらにしっかりと調整溝内に固定される。したがって、ダイス固定ユニットが衝撃を受けても偏ることがない。
【０００８】
２、  ダイス固定板は直接昇降ユニットに固定されている。固定板の前部にはカーブ型調整溝がある。ダイス調整ユニットの底部には、調整カーブ面があり、この調整カーブ面がカーブ型調整溝内に置かれた時、ダイス調整ユニットの周辺に垂直貫通穴があって、それに対応するように、ダイス固定板には十字型対称垂直ねじ穴が開いている。垂直調整ねじは、垂直貫通穴を貫通し、十字型対称垂直ねじ穴に挿入されて締められる。調整カーブ面とカーブ型調整溝が、垂直調整ねじによってダイスの垂直度を調整されることにより、さらに、側面のダイス固定ねじがダイス固定板を貫通して押さえ、ダイスの位置を固定することにより、ダイスがスピーディーに調整されて、正確な位置に固定されるという特徴を持つ。
【考案の効果】
【０００９】
請求項１記載の考案によれば、衝撃を受けて偏って移動するのを防ぐ効果があり、自在に垂直度を調節できる。請求項２記載の考案によれば、垂直度が調整しやすく、調整時間も短縮できる。請求項３記載の考案によれば、ダイス固定ユニットが安定に固定されるという効果がある。請求項４記載の考案によれば、ダイス固定ユニットが調整溝内にてしっかりと固定されるという効果がある。請求項５記載の考案によれば、垂直調整ねじが締め付ける度合いを高めることができる。
また、請求項１〜５に記載の放電加工機のダイス調整固定構造は、その構造がシンプルで、垂直度の調節と水平レベルの調整の組み合わせにより、ダイス固定ユニットの安定性を強化している。さらに、調整時間を短縮することが可能で、実用性が高い。そして、垂直度と水平レベルを正確に調整して、しっかりと位置を固定する構造であるため、衝撃を受けて偏ることがないといった効果が発揮される。
【考案を実施するための最良の形態】
【００１０】
はじめに、本考案の第一実施例について説明する。
図３、図４、図６、図７に示すように、凹型調整ユニット1は、その後部に２個の固定穴１１があり、２本の固定ねじ１２が固定穴１１を貫通することによって、昇降ユニットＡの上に固定されている。前述の凹型調整ユニット1内には、調整溝１１１があって、さらに、その前部の適切な位置に、十字型に対称の垂直貫通穴１１２が設けられている。この垂直貫通穴１１２の内径は、垂直調整ねじ２の外径よりやや大きく、垂直調整ねじ２がそれぞれ垂直貫通穴１１２内で自由に動くようになっている。この凹型調整ユニット1の側面両側には、水平ねじ穴１１３があり、この両側の水平ねじ穴１１３は、ちょうど同じ水平位置に設けられている。また、少なくとも前述の垂直貫通穴１１２のうちの1つと一直線になり、水平調整ねじ３が水平ねじ穴１１３に挿入されて締められて、凹型調整ユニット１の側面を締め付けた時、ダイス固定ユニット４が偏るのを防ぐ。
ダイス固定ユニット４は、その前端にダイスＢがあって、ダイス固定ねじ４１をねじ穴４２に挿入することにより、ダイスＢをしっかりと固定するようになっている。前述のダイス固定ユニット４の後部には、十字型対称垂直ねじ穴４３があって、前述の凹型調整ユニット1の垂直貫通穴１１２に対応する。さらに、その十字型対称垂直ねじ穴４３の中心位置には固定溝４４があり、その固定溝４４の上には、球体４５が置かれていて、ダイス固定ユニット４が凹型調整ユニット1の調整溝１１１に置かれた時、この球体４５は十字型に配置された垂直貫通穴１１２と十字型対称垂直ねじ穴４３のちょうど中心位置になる。
固定ブロック５の一端には固定部分５１があって、もう一端は押さえ部分５２になっている。この固定部分５１はダイス固定ユニット４に固定されていて、その押さえ部分５２と調整溝の端部分１１１１は互いに適度な隙間を保って、押さえねじ５２１が凹型調整ユニット1の調整溝１１１の端部分１１１１に固定されることにより、固定ブロック５によってダイス固定ユニット４が調整溝１１１内に向かって押し付けられ、その押さえねじ５２１と縦向きの水平調整ねじ３’がちょうど反対方向に対応して、少なくとも、垂直貫通穴１１２のうちの1つと一直線になる。
【００１１】
図４、図５、図６、図７によると、ダイス固定ユニット４を調整する際は、ダイスＢの垂直度が調整され、球体４５が中心であることを利用して、４個の垂直調整ねじ２がそれぞれダイス固定ユニット４の４つの方角に角度調整をして、ダイスBが垂直度の正確な位置に達した後、さらに、水平調整ねじ３を凹型調整ユニット1側面の水平ねじ穴１１３内に挿入し、ダイス固定ユニット４の側面を締め付けることによって、ダイス固定ユニット４は、凹型調整ユニット1の調整溝１１１内に固定される。ダイス固定ユニット４は外的な衝撃を受けて偏ることがなく、固定ブロック５が押さえねじ５２１によって、ダイス固定ユニット４が調整溝１１１内に向かって押し付けられることで、ダイス固定ユニット４を、調整溝１１１内において、４つの方向から包み込む形でしっかりと固定するので、衝撃を受けても偏ることがないという特徴がある。
【００１２】
次に図８、図９を用いて、本考案の第二実施例について説明する。ダイス固定板６は直接昇降ユニットＡに固定されている（図1に図示）。ダイス固定板６の前部にはカーブ型調整溝６１があって、このカーブ型調整溝６１内には、横向きに貫通穴６１１が開いている。ダイス調整ユニット７の底部には調整カーブ面７１があり、この調整カーブ面７１には横向きのねじ穴７２が開いている。前述の貫通穴６１１の内径は、前述のねじ穴７２の内径よりはるかに大きく、ダイス調整ユニット７の調整カーブ面７１がカーブ型調整溝６１内に置かれた時、この貫通穴６１１がちょうどねじ穴７２に対応するようになっている。また、ねじ穴７２が微調整される時は、常にこの貫通穴６１１内において行なわれるようになっている。
前述のダイス固定板６のカーブ型調整溝６１外周円には、十字型対称垂直ねじ穴６３が設けられている。この十字型対称垂直ねじ穴６３は、ダイス調整ユニット７に設けられている垂直貫通穴７３と対応するようになっている。同時に、この垂直貫通穴７３の内径は垂直ねじ穴６３の内径よりやや大きく、垂直調整ねじ２によって、ダイス調整ユニット７の垂直度を調整する時、この垂直貫通穴７３内で垂直調整ねじ２が斜めに偏った遊びの角度を持つことを許し、同時に、ダイス調整ユニット７の調整カーブ面７１の傾斜を通して、常に、このカーブ型調整溝６１内で面接触して、垂直度が調整された後、垂直調整ねじ２がダイス調整ユニット７にしっかりと固定されることによって、ダイス固定ねじ６４が貫通穴６１１に貫通して、ねじ穴７２に挿入して締められて、ダイスBを締め付けることにより、ダイスBが垂直度が正確な位置に調整されるので、調整がしやすく、調整時間の短縮にも効果がある。
【００１３】
図５、図９に示すように、前述の２つの実施例における垂直貫通穴１１２、７３は、その穴の縁にカーブを描いた斜めの角１１２１、７３１があって、その垂直調整ねじ２の下方には、前述のカーブを描いた斜めの角１１２１、７３１に対応するカーブ面２１がある。垂直調整ねじ２が垂直貫通穴１１２、７３内に貫通することで、ダイス固定ユニット４あるいはダイス固定板６の十字型対称垂直ねじ穴４３、６３内に固定され、さらに、垂直調整ねじ２が四方向に移動して微調整されることにより、そのダイス固定ユニット４あるいはダイス調整ユニット７がわずかに傾斜した時、このカーブ面２１も共に傾斜し、常に前述のカーブを描いた斜めの角１１２１、７３１と面接触を保ち、垂直調整ねじ２を締め付ける度合いを高めるようになっている。
【図面の簡単な説明】
【００１４】
【図１】従来のダイス固定ユニット及び放電加工機の昇降ユニットを組み合わせた状態を示した断面図である。
【図２】従来のダイス固定ユニットの平面図である。
【図３】本考案の第一実施例の立体分解図である。
【図４】本考案の第一実施例の立体組立図である。
【図５】本考案の第一実施例の組立断面図である。
【図６】本考案の第一実施例の組立平面図である。
【図７】本考案の第一実施例の調整状態を示した断面図である。
【図８】本考案の第二実施例の立体分解図である。
【図９】本考案の第二実施例の組立断面図である。
【符号の説明】
【００１５】
Ａ…昇降ユニット、Ｂ…ダイス、１０…ダイス固定ユニット、１０１…長型穴、１０２…十字型対称ねじ、１０３…固定ねじ、１０４…十字型対称調整ねじ、１…凹型調整ユニット、１１…固定穴、１１１…調整溝、１１１１…調整溝の端部分、１１２…垂直貫通穴、１１２１…カーブを描いた斜めの角、１１３…水平ねじ穴、１２…固定ねじ、２…垂直調整ねじ、２１…カーブ面、３…水平調整ねじ、４…ダイス固定ユニット、４１…ダイス固定ねじ、４２…ねじ穴、４３…十字型対称垂直ねじ穴、４４…固定溝、４５…球体、５…固定ブロック、５１…固定部分、５２…押さえ部分、５２１…押さえねじ、６…ダイス固定板、６１…カーブ型調整溝、６１１…貫通穴、６３…垂直ねじ穴、６４…ダイス固定ねじ、７…ダイス調整ユニット、７１…調整カーブ面、７２…ねじ穴、７３…垂直貫通穴、７３１…カーブを描いた斜めの角
【図１】
0003109375.tif 000003
【図２】
0003109375.tif 000004
【図３】
0003109375.tif 000005
【図４】
0003109375.tif 000006
【図５】
0003109375.tif 000007
【図６】
0003109375.tif 000008
【図７】
0003109375.tif 000009
【図８】
0003109375.tif 000010
【図９】
0003109375.tif 000011